(57)【要約】【課題】  音量の操作子の操作中の音量情報を明確に識別することができる「表示制御装置、制御プログラム及びコンピュータ読み取り可能な記録媒体」を提供する。【解決手段】  表示制御装置１００は、ボリュームつまみ１ａを含む操作部１、操作速度検出部２、文字表示制御部４及び表示部５を備えている。表示部５が文字データ（即ち音量設定レベルの数値）を表示し、操作速度検出部２が、ボリュームつまみ１ａの操作速度Ｖを検出し、文字表示制御部４が検出された操作速度Ｖに応じて表示部５に表示される文字データの大きさを制御する。【選択図】      図１
2008211397.tif 000002
【特許請求の範囲】
【請求項１】
音声の音量情報を表示する表示手段と、
音量の操作子の操作速度を検出する検出手段と、
前記検出手段により検出された操作速度に応じて前記表示手段に表示される音量情報の大きさを制御する制御手段と
を備えることを特徴とする表示制御装置。
【請求項２】
前記制御手段は、前記検出手段により検出された操作速度が所定の閾値より小さい場合の前記音量情報の大きさが、前記検出手段により検出された操作速度が所定の閾値より大きい場合の前記音量情報の大きさよりも大きくなるように、前記音量情報の大きさを制御することを特徴とする請求項１に記載の表示制御装置。
【請求項３】
音声の音量情報を表示する表示手段と、
音声の音量範囲を設定する設定手段と、
音量の操作子が示す音量が前記設定手段でされた音量範囲に含まれるか否かに応じて前記表示手段に表示される音量情報の大きさを制御する制御手段と
を備えることを特徴とする表示制御装置。
【請求項４】
前記制御手段は、前記音量の操作子が示す音量が前記設定手段でされた音量範囲に含まれる場合の前記音量情報の大きさが、前記音量の操作子が示す音量が前記設定手段でされた音量範囲に含まれない場合の前記音量情報の大きさよりも大きくなるように、前記音量情報の大きさを制御することを特徴とする請求項３に記載の表示制御装置。
【請求項５】
前記制御手段は、さらに、前記音量の操作子の操作量に応じて前記表示手段に表示される音量情報の種類を決定する決定手段を備えることを特徴とする請求項１乃至４のいずれか１項に記載の表示制御装置。
【請求項６】
さらに、前記音量の操作子の操作量に応じた音量の音声を再生する再生手段を備え、
前記制御手段は、前記音量情報の大きさの制御及び前記音量情報の種類の決定をしたときに、前記再生手段に対し同期信号を出力することを特徴とする請求項５に記載の表示制御装置。
【請求項７】
コンピュータを、
音声の音量情報を表示する表示手段、
音量の操作子の操作速度を検出する検出手段、及び
前記検出手段により検出された操作速度に応じて前記表示手段に表示される音量情報の大きさを制御する制御手段
として機能させることを特徴とする制御プログラム。
【請求項８】
コンピュータを、
音声の音量情報を表示する表示手段、
音声の音量範囲を設定する設定手段、及び
音量の操作子が示す音量が前記設定手段でされた音量範囲に含まれるか否かに応じて前記表示手段に表示される音量情報の大きさを制御する制御手段
として機能させることを特徴とする制御プログラム。
【請求項９】
コンピュータを、
音声の音量情報を表示する表示手段、
音量の操作子の操作速度を検出する検出手段、及び
前記検出手段により検出された操作速度に応じて前記表示手段に表示される音量情報の大きさを制御する制御手段
として機能させるためのプログラムを記録したことを特徴とするコンピュータ読み取り可能な記録媒体。
【請求項１０】
コンピュータを、
音声の音量情報を表示する表示手段、
音声の音量範囲を設定する設定手段、及び
音量の操作子が示す音量が前記設定手段でされた音量範囲に含まれるか否かに応じて前記表示手段に表示される音量情報の大きさを制御する制御手段
として機能させるためのプログラムを記録したことを特徴とするコンピュータ読み取り可能な記録媒体。
【発明の詳細な説明】
【技術分野】
【０００１】
本発明は、音量の操作子の操作と連動する音量情報の表示を制御する表示制御装置、制御プログラム及びコンピュータ読み取り可能な記録媒体に関する。
【背景技術】
【０００２】
従来より、オーディオアンプ等に増幅回路において、色相により音量設定レベル等の利得設定値を表示するための表示制御装置が知られている（例えば、特許文献１参照）。この表示制御装置は、表示部を備え、音量設定レベル等の利得設定値に応じて当該表示部の表示色が変化するので、表示部の表示色を一見するだけで当該利得設定値を識別できるという利点がある。
【０００３】
また、従来より、表示部を備えている、車両に搭載されるカーオーディオ装置やカーナビゲーション装置が知られている。これらの装置では、ボリュームつまみの回転により音量設定レベルを変更することができ、音量設定レベルは数値で表示部に表示される。
【特許文献１】特開平２００５−１９８３５６号公報
【発明の開示】
【発明が解決しようとする課題】
【０００４】
しかしながら、上記特許文献１の表示制御装置は、音量設定レベルを表示部の表示色で表すだけなので、必ずしも表示部の表示色を一見するだけで音量設定レベルを識別できるものではない。例えば、初めて特許文献１の表示制御装置の表示部を見るユーザは、音量設定レベルと表示部の表示色との関係が理解できないため、表示部の表示色を一見するだけで音量設定レベルを識別できない。
【０００５】
また、従来のカーオーディオ装置やカーナビゲーション装置は、音量設定レベルは数値で表示部に表示されるが、音量設定レベル以外の他の情報が表示部に同時に表示されると、必ずしも一見するだけで音量設定レベルを識別できなかった。特に、音量設定レベルの数値の大きさは、ボリュームつまみの操作により変化するものではない。
【０００６】
本発明は、上記課題に鑑みてなされたものであり、その目的は、音量の操作子の操作中の音量情報を明確に識別することができる表示制御装置、制御プログラム及びコンピュータ読み取り可能な記録媒体を提供することにある。
【課題を解決するための手段】
【０００７】
上記目的を達成するため、請求項１に記載の表示制御装置は、音声の音量情報を表示する表示手段と、音量の操作子の操作速度を検出する検出手段と、前記検出手段により検出された操作速度に応じて前記表示手段に表示される音量情報の大きさを制御する制御手段とを備えることを特徴とする。
【０００８】
請求項２に記載の表示制御装置は、請求項１に記載の表示制御装置において、前記制御手段は、前記検出手段により検出された操作速度が所定の閾値より小さい場合の前記音量情報の大きさが、前記検出手段により検出された操作速度が所定の閾値より大きい場合の前記音量情報の大きさよりも大きくなるように、前記音量情報の大きさを制御することを特徴とする。
【０００９】
請求項３に記載の表示制御装置は、音声の音量情報を表示する表示手段と、音声の音量範囲を設定する設定手段と、音量の操作子が示す音量が前記設定手段でされた音量範囲に含まれるか否かに応じて前記表示手段に表示される音量情報の大きさを制御する制御手段とを備えることを特徴とする。
【００１０】
請求項４に記載の表示制御装置は、請求項３に記載の表示制御装置において、前記制御手段は、前記音量の操作子が示す音量が前記設定手段でされた音量範囲に含まれる場合の前記音量情報の大きさが、前記音量の操作子が示す音量が前記設定手段でされた音量範囲に含まれない場合の前記音量情報の大きさよりも大きくなるように、前記音量情報の大きさを制御することを特徴とする。
【００１１】
請求項５に記載の表示制御装置は、請求項１乃至４のいずれか１項に記載の表示制御装置において、前記制御手段は、さらに、前記音量の操作子の操作量に応じて前記表示手段に表示される音量情報の種類を決定する決定手段を備えることを特徴とする。
【００１２】
請求項６に記載の表示制御装置は、請求項５に記載の表示制御装置において、さらに、前記音量の操作子の操作量に応じた音量の音声を再生する再生手段を備え、前記制御手段は、前記音量情報の大きさの制御及び前記音量情報の種類の決定をしたときに、前記再生手段に対し同期信号を出力することを特徴とする。
【００１３】
請求項７に記載の制御プログラムは、コンピュータを、音声の音量情報を表示する表示手段、音量の操作子の操作速度を検出する検出手段、及び前記検出手段により検出された操作速度に応じて前記表示手段に表示される音量情報の大きさを制御する制御手段として機能させることを特徴とする。
【００１４】
請求項８に記載の制御プログラムは、コンピュータを、音声の音量情報を表示する表示手段、音声の音量範囲を設定する設定手段、及び音量の操作子が示す音量が前記設定手段でされた音量範囲に含まれるか否かに応じて前記表示手段に表示される音量情報の大きさを制御する制御手段として機能させることを特徴とする。
【００１５】
請求項９に記載のコンピュータ読み取り可能な記録媒体は、コンピュータを、音声の音量情報を表示する表示手段、音量の操作子の操作速度を検出する検出手段、及び前記検出手段により検出された操作速度に応じて前記表示手段に表示される音量情報の大きさを制御する制御手段として機能させるためのプログラムを記録したことを特徴とする。
【００１６】
請求項１０に記載のコンピュータ読み取り可能な記録媒体は、コンピュータを、音声の音量情報を表示する表示手段、音声の音量範囲を設定する設定手段、及び音量の操作子が示す音量が前記設定手段でされた音量範囲に含まれるか否かに応じて前記表示手段に表示される音量情報の大きさを制御する制御手段として機能させるためのプログラムを記録したことを特徴とする。
【発明の効果】
【００１７】
請求項１、７、９の発明によれば、音量の操作子の操作速度に応じて表示手段に表示される音量情報の大きさが制御されるので、音量の操作子の操作中の音量情報を明確に識別することができる。
【００１８】
請求項２の発明によれば、音量の操作子の操作速度が所定の閾値よりも小さくなると、音量情報の大きさがより大きくなるので、操作子の操作で設定される音量が所望の音量に近づき、音量の操作子の操作速度が所定の閾値よりも小さくなると、音量の操作子の操作中の音量情報がより明確に識別し易くなり、音量の操作子の操作の補助となる。
【００１９】
請求項３、８、１０の発明によれば、音量の操作子が示す音量が設定手段でされた音量範囲に含まれるか否かに応じて表示手段に表示される音量情報の大きさが制御されるので、音量の操作子の操作中の音量情報を明確に識別することができる。
【００２０】
請求項４の発明によれば、音量の操作子が示す音量が前記設定手段でされた音量範囲に含まれると、音量の操作子の操作中の音量情報がより明確に識別し易くなり、音量の操作子の操作の補助となる。
【００２１】
請求項５の発明によれば、音量の操作子の操作中に音量情報の種類を決定することができる。
【００２２】
請求項６の発明によれば、再生手段で再生される音声の音量と表示手段に表示される文字情報の種類及び大きさとを対応付けることができる。
【発明を実施するための最良の形態】
【００２３】
以下、図面を参照しながら本発明の実施の形態を説明する。
【００２４】
（第１の実施の形態）
図１は、本発明の第１の実施の形態に係る表示制御装置の構成を示すブロック図である。
【００２５】
表示制御装置１００は、例えば、カーオディオ等の車載機器に適用されるものとする。表示制御装置１００は、図１に示すように、操作部１、操作速度検出部２（検出手段）、基準クロック作成部３、文字表示制御部４（制御手段、決定手段）、表示部５（表示手段）、サウンドコントローラ６（再生手段）、及びスピーカ７を備えている。
【００２６】
操作部１は、回転式のボリュームつまみ１ａ、ボリュームつまみ１ａに接続され、ボリュームつまみ１ａの回転角度に応じて信号を操作速度検出部２、文字表示制御部４及びサウンドコントローラ６に出力するロータリーエンコーダ１ｂ、及び各種のデータや情報の設定や入力を行うためのキースイッチ（ＳＷ）１ｃを備えている。ロータリーエンコーダ１ｂは、例えば時計方向に０．５度回転する毎に信号Ｓｎ（Ｓ１、Ｓ２、…、Ｓｎ）を操作速度検出部２、文字表示制御部４及びサウンドコントローラ６に順次出力する。
【００２７】
サウンドコントローラ６は、ロータリーエンコーダ１ｂからの信号Ｓｎ及びラジオ又はＣＤ−ＲＯＭドライブ等からの音声データ９を入力し、順次入力される信号Ｓｎに基づいて音声データ９の音量を増幅し、文字表示制御部４から同期信号を入力してスピーカ７を介して音声を出力する。
【００２８】
基準クロック生成部３は、例えば、１周期（即ち、１クロック）が０．１秒のパルス信号を生成し、操作速度検出部２に出力する。
【００２９】
操作速度検出部２は、ロータリーエンコーダ１ｂから出力される信号Ｓｎ及び基準クロック生成部３で生成されたパルス信号を入力し、これらの入力された信号に基づいてボリュームつまみ１ａの操作速度Ｖ（例えば、角速度）を検出する。そして、操作速度検出部２は、検出された操作速度Ｖを示す信号Ｓｄを文字表示制御部４に出力する。
【００３０】
文字表示制御部４は、ロータリーエンコーダ１ｂから出力される信号Ｓｎ及び操作速度検出部２からボリュームつまみ１ａの操作速度Ｖを示す信号Ｓｄを入力すると共に、ボリュームつまみ１ａの音量設定レベルを示す文字データ８（文字情報）を入力する。さらに、文字表示制御部４は、ロータリーエンコーダ１ｂから出力される信号Ｓｎの個数（即ち、ボリュームつまみ１ａの操作量）に応じて文字データ８の種類を決定し、信号Ｓｄが示すボリュームつまみ１ａの操作速度Ｖに応じて、文字データ８の大きさを決定し、当該決定された種類及び大きさの文字データ８を表示部５に出力する。また、文字表示制御部４は、文字データの大きさの制御及び文字データの種類の決定をしたときに、サウンドコントローラ６に対し同期信号を出力する。表示部５は、文字表示制御部４から入力した文字データ８を表示する。
【００３１】
図２は、表示制御装置１００に含まれる操作速度検出部２のハードウエア構成を示すブロック図である。
【００３２】
操作速度検出部２は、例えば、マイコンで構成され、装置全体を制御するＣＰＵ１１、制御プログラム、データ及び情報を備えるＲＯＭ１２、ワーキングエリアとして機能するＲＡＭ１３、及び基準クロック生成部３のような外部デバイスと接続するためのインターフェース部１４を備えている。ＣＰＵ１１は、システムバス１５を介してＲＯＭ１２、ＲＡＭ１３、及びインターフェース部１４に接続されている。
【００３３】
尚、文字表示制御部４も、操作速度検出部２と同様に、ＣＰＵ、ＲＯＭ、ＲＡＭ、及びインターフェース部を備えている。
【００３４】
図３は、基準クロック生成部３で生成されるパルス信号の一例を示す図である。
【００３５】
図３に示すように、基準クロック生成部３は、例えば、１周期（即ち１クロック）が０．１秒のパルス信号を生成し、操作速度検出部２に出力する。
【００３６】
操作速度検出部２が、例えば、同図に示すタイミングで、ロータリーエンコーダ１ｂから出力される信号Ｓｎ及び信号Ｓｎ＋１を入力する。尚、信号Ｓｎ＋１は、ボリュームつまみ１ａの回転により操作速度検出部２が信号Ｓｎの次に入力する信号を示す。
【００３７】
このとき、信号Ｓｎと信号Ｓｎ＋１との間には、２クロックが存在するため、操作速度検出部２は、信号Ｓｎを入力してから信号Ｓｎ＋１を入力するまで０．２秒経過したことを検出する。そして、信号Ｓｎは、上述したように、ボリュームつまみ１ａが０．５度回転する毎に出力されるので、操作速度検出部２は、ボリュームつまみ１ａの操作速度Ｖ（角速度）が２．５（度／秒）（＝０．５秒／０．２秒）であると検出することができる。
【００３８】
図４は、表示制御装置１００で実行される制御処理を示すフローチャートである。
【００３９】
まず、ユーザがボリュームつまみ１ａを回転すると、操作部１のロータリーエンコーダ１ｂは、信号Ｓｎ及び信号Ｓｎ＋１を操作速度検出部２に出力する（ステップＳ１）。操作速度検出部２は、ステップＳ１の信号Ｓｎ及び信号Ｓｎ＋１を入力し（ステップＳ２）、さらに基準クロック生成部３で生成されたパルス信号を入力する（ステップＳ３）。
【００４０】
そして、操作速度検出部２は、上記入力した信号Ｓｎ及び信号Ｓｎ＋１とパルス信号とに基づいて、ボリュームつまみ１ａの操作速度Ｖを検出し、検出された操作速度Ｖを示す信号Ｓｄを文字表示制御部４に出力する（ステップＳ４）。
【００４１】
文字表示制御部４は、信号Ｓｎ、ステップＳ４の信号Ｓｄ及びボリュームつまみ１ａの音量設定レベルを示す文字データ８を入力する（ステップＳ５）。
【００４２】
次に、文字表示制御部４は、入力した信号Ｓｎの個数（ボリュームつまみ１ａの操作量）に応じて表示部５で表示される文字データ８の種類を決定する（ステップＳ６）。例えば、文字表示制御部４は、ボリュームつまみ１ａが初期状態から５度回転されると、信号Ｓｎを１０個入力し、音量設定レベルを１つ増加する。このとき、例えば、音量設定レベルは初期状態「０」から「１」となる、即ち、文字データ８の種類を「１」に決定する。
【００４３】
次いで、文字表示制御部４は、信号Ｓｄの示すボリュームつまみ１ａの操作速度Ｖと閾値ＳＶ１、ＳＶ２との大小関係を判別する（ステップＳ７）。閾値ＳＶ１、ＳＶ２は予め文字表示制御部４のＲＯＭに格納されているものとする。例えば、閾値ＳＶ１は１０（度／秒）とし、閾値ＳＶ２は５（度／秒）とし、ＳＶ１＞ＳＶ２とする。
【００４４】
ステップＳ７の判別の結果、ボリュームつまみ１ａの操作速度Ｖが閾値ＳＶ１以上である場合には、文字表示制御部４は、ステップＳ６で種類が決定されている文字データの大きさを「小」サイズに決定し、当該文字データを表示部５に出力すると共に、同期信号をサウンドコントローラ６に出力する（ステップＳ８）。尚、図５に文字データの表示と操作速度Ｖとの関係を模式的に示す。また、尚、「小」サイズは、通常状態の文字データの大きさである。
【００４５】
サウンドコントローラ６は、順次入力される信号Ｓｎに基づいて音声データ９の音量を増幅し、文字表示制御部４から同期信号を入力して、スピーカ７を介して増幅した音量で音声データ９を出力する（ステップ１１）。この後、ステップＳ１に戻る。
【００４６】
このように、文字表示制御部４はサウンドコントローラ６に同期信号を出力するので、スピーカ７で出力される音声データ９の音量と表示部５に表示される文字データの種類及び大きさとが互いに対応付けられる。
【００４７】
上記ステップＳ７の判別の結果、ボリュームつまみ１ａの操作速度Ｖが閾値ＳＶ２以上閾値ＳＶ１未満である場合には、文字表示制御部４は、ステップＳ６で種類が決定されている文字データの大きさを「中」サイズに決定し、当該文字データを表示部５に出力すると共に、同期信号をサウンドコントローラ６に出力して（ステップＳ９）、ステップＳ１１に進む。
【００４８】
上記ステップＳ７の判別の結果、ボリュームつまみ１ａの操作速度Ｖが閾値ＳＶ２未満である場合には、文字表示制御部４は、ステップＳ６で種類が決定されている文字データの大きさを「大」サイズに決定し、当該文字データを表示部５に出力すると共に、同期信号をサウンドコントローラ６に出力して（ステップＳ１０）、ステップＳ１１に進む。
【００４９】
本処理では、操作速度の閾値を２つ利用したが、閾値を１つにして、ボリュームつまみ１ａの操作速度Ｖが当該閾値以上である場合には、文字表示制御部４は、ステップＳ６で種類が決定されている文字データの大きさを「小」サイズに決定し、ボリュームつまみ１ａの操作速度Ｖが当該閾値未満である場合には、文字表示制御部４は、ステップＳ６で種類が決定されている文字データの大きさを「大」サイズに決定するようにしてもよい。
【００５０】
図６は、図１の表示制御装置の構成の変形例を示すブロック図である。図１と同一の構成要素については、同一の番号を付す。
【００５１】
図６の表示制御装置１０１は、図１の表示制御装置１００と比べ、操作部１の構成が異なる。表示制御装置１０１の操作部１は、ボリュームつまみ１ａに代えて、例えば左右に６０ｍｍ移動可能なスライダ１ｄを備え、さらに、ロータリーエンコーダ１ｂに代えて、スライダ信号出力部１ｅを備えている。スライダ信号出力部１ｅは、スライダ１ｄの移動開始を示す信号Ｓｉと、左端を基準としてスライダ１ｄが２ｍｍ右に移動する毎に信号Ｓｍとを操作速度検出部２、文字表示制御部４及びサウンドコントローラ６に出力する。
【００５２】
操作速度検出部２は、スライダ信号出力部１ｅから信号Ｓｉ及び信号Ｓｍを、基準クロック生成部からパルス信号を入力する。
【００５３】
操作速度検出部２は、順次入力される信号Ｓｍと信号Ｓｍ＋１（信号Ｓｍ＋１は、スライダ１ｄの移動により操作速度検出部２が信号Ｓｍの次に入力する信号を示す）との間にパルス信号の何個分のクロックが存在するか判断する。操作速度検出部２は、このクロック数から信号Ｓｍ及び信号Ｓｍ＋１を受信するのにかかった時間を算出できるので、２ｍｍを当該算出時間で除算することで、スライダ１ｄの操作速度Ｖが算出できる。例えば、操作速度検出部２が、信号Ｓｍ及び信号Ｓｍ＋１を受信する間にパルス信号を２個受信すると、信号Ｓｍ及び信号Ｓｍ＋１を受信するのにかかった時間は、０．２秒（＝２個×０．１秒／１個）であり、２ｍｍを０．２秒で除算することで、スライダ１ｄの操作速度Ｖは１ｍｍ／秒と算出される。
【００５４】
サウンドコントローラ６は、スライダ１ｄからの信号Ｓｍ及びラジオ又はＣＤ−ＲＯＭドライブ等からの音声データ９を入力し、順次入力される信号Ｓｍに基づいて音声データ９の音量を増幅し、文字表示制御部４から同期信号を入力してスピーカ７を介して音声を出力する。
【００５５】
表示制御装置１０１で実行される制御処理は、図４中の信号Ｓｎを信号Ｓｍと置き換えることで、図４の表示制御装置１００で実行される制御処理を準用することができる。
【００５６】
以上詳細に説明したように、本実施の形態によれば、表示部５が文字データ（即ち音量設定レベル又は音量情報）を表示し、操作速度検出部２が、ボリュームつまみ１ａ又はスライダ１ｄの操作速度Ｖを検出し、文字表示制御部４が検出された操作速度Ｖに応じて表示部５に表示される文字データの大きさを制御するので、ボリュームつまみ１ａ又はスライダ１ｄの操作中の文字データを明確に識別することができる。
【００５７】
また、文字表示制御部４は、ボリュームつまみ１ａ又はスライダ１ｄの操作速度Ｖが所定の閾値（ＳＶ１又はＳＶ２）より小さい場合の文字データの大きさが、ボリュームつまみ１ａ又はスライダ１ｄの操作速度Ｖが所定の閾値（ＳＶ１又はＳＶ２）より大きい場合の文字データの大きさよりも大きくなるように、文字データの大きさを制御するので、ボリュームつまみ１ａ又はスライダ１ｄの操作で設定される音量が所望の音量に近づき、操作速度Ｖが所定の閾値よりも小さくなると、ボリュームつまみ１ａ又はスライダ１ｄの操作中の文字データがより明確に識別し易くなり、ボリュームつまみ１ａ又はスライダ１ｄの操作の補助となる。
【００５８】
特に、ユーザが音量を微調整する場合、ボリュームつまみ１ａ又はスライダ１ｄの操作速度Ｖは閾値ＳＶ２より小さくなり、文字データの表示が拡大されるため、必要なときだけ文字表示に注目しやすくなる。また、ユーザがボリュームつまみ１ａ又はスライダ１ｄを素早く操作しているときには、ボリュームつまみ１ａ又はスライダ１ｄの操作速度Ｖは閾値ＳＶ１より大きくなり、文字データの表示が縮小されるため、文字データの表示がその他の表示を阻害するようなことがなくなる。
【００５９】
また、文字表示制御部４は、ボリュームつまみ１ａ又はスライダ１ｄの操作量に応じて表示部５に表示される文字データの種類を決定するので、ボリュームつまみ１ａ又はスライダ１ｄの操作中に文字データの種類を決定することができる。なお、文字データの種類とは、具体的には音量設定レベルの数値である。
【００６０】
さらに、サウンドコントローラ６はボリュームつまみ１ａ又はスライダ１ｄの操作量に応じた音量の音声を再生し、文字表示制御部４は、文字データの大きさの制御及び文字データの種類の決定をしたときに、サウンドコントローラ６に対し同期信号を出力するので、サウンドコントローラ６で再生される音声の音量と表示部５に表示される文字データの種類及び大きさとを対応付けることができる。
【００６１】
尚、上記実施の形態では、操作速度検出部２及び文字表示制御部４は別体で構成したが、一体で構成してもよい。
【００６２】
（第２の実施の形態）
本発明の第２の実施の形態では、予めユーザが音量範囲を設定し、現在のボリュームつまみ１ａの音量が当該設定された音量範囲に含まれたときに、文字表示制御部４が、通常の文字データの大きさよりも文字データの大きさが大きくなるように、文字データの大きさを制御する。
【００６３】
図７は、第２の実施の形態に係る表示制御装置の構成を示すブロック図である。
【００６４】
図７の表示制御装置１０２は、例えば、カーオーディオ等の車載機器に適用されるものとする。表示制御装置１０２は、操作部１（設定手段）、文字表示制御部４（制御手段、決定手段、設定手段）、表示部５（表示手段）、サウンドコントローラ６（再生手段）、及びスピーカ７を備えている。
【００６５】
操作部１は、回転式のボリュームつまみ１ａ、ボリュームつまみ１ａに接続され、ボリュームつまみ１ａの回転角度に応じて信号を操作速度検出部２、文字表示制御部４及びサウンドコントローラ６に出力するロータリーエンコーダ１ｂ、及び各種のデータや情報の設定や入力を行うためのキースイッチ（ＳＷ）１ｃを備えている。ロータリーエンコーダ１ｂは、例えば時計方向に０．５度回転する毎に信号Ｓｎ（Ｓ１、Ｓ２、…、Ｓｎ）を文字表示制御部４及びサウンドコントローラ６に順次出力する。
【００６６】
サウンドコントローラ６は、ロータリーエンコーダ１ｂからの信号Ｓｎ及びラジオ又はＣＤ−ＲＯＭドライブ等からの音声データ９を入力し、順次入力される信号Ｓｎに基づいて音声データ９の音量を増幅し、文字表示制御部４から同期信号を入力してスピーカ７を介して音声を出力する。
【００６７】
文字表示制御部４は、ボリュームつまみ１ａ及びキースイッチ（ＳＷ）１ｃを介して設定される音声データ９の音量範囲の情報を記憶する範囲情報記憶部４ａを備えている。
【００６８】
文字表示制御部４は、ロータリーエンコーダ１ｂから出力される信号Ｓｎを入力すると共に、ボリュームつまみ１ａの音量設定レベルを示す文字データ８（文字情報）を入力する。さらに、文字表示制御部４は、ロータリーエンコーダ１ｂから出力される信号Ｓｎの個数（即ち、ボリュームつまみ１ａの操作量）に応じて文字データ８の種類を決定し、信号Ｓｄが示すボリュームつまみ１ａの操作速度Ｖに応じて、文字データ８の大きさを決定し、当該決定された種類及び大きさの文字データ８を表示部５に出力する。なお、文字データの種類とは、具体的には音量設定レベルの数値である。また、文字表示制御部４は、文字データの大きさの制御及び文字データの種類の決定をしたときに、サウンドコントローラ６に対し同期信号を出力する。表示部５は、文字表示制御部４から入力した文字データ８を表示する。
【００６９】
図８は、表示制御装置１０２で実行される制御処理を示すフローチャートである。
【００７０】
まず、ボリュームつまみ１ａ及びキースイッチ（ＳＷ）１ｃを介してユーザの操作により音声データ９の音量範囲が設定され、当該音量範囲の情報が範囲情報記憶部４ａに記憶される（ステップ２１）。音量範囲の情報は、具体的には、音量設定レベルの値で設定される。
【００７１】
その後、ユーザがボリュームつまみ１ａを回転すると、操作部１のロータリーエンコーダ１ｂは、信号Ｓｎを文字表示制御部４に出力する（ステップＳ２２）。
【００７２】
文字表示制御部４は、ステップＳ２２の信号Ｓｎを順次入力し（ステップＳ２３）、さらにボリュームつまみ１ａの音量設定レベルを示す文字データ８を入力する（ステップＳ２４）。
【００７３】
次に、文字表示制御部４は、入力した信号Ｓｎの個数（ボリュームつまみ１ａの操作量）に応じて表示部５で表示される文字データ８の種類を決定する（ステップＳ２５）。例えば、文字表示制御部４は、ボリュームつまみ１ａが初期状態から５度回転されると、信号Ｓｎを１０個入力し、音量設定レベルを１つ増加する。このとき、例えば、音量設定レベルは初期状態「０」から「１」となる、即ち、文字データ８の種類を「１」に決定する。
【００７４】
次いで、文字表示制御部４は、入力した信号Ｓｎの個数（ボリュームつまみ１ａの操作量）及び範囲情報記憶部４ａに記憶される音量範囲の情報に基づいて、現在のボリュームつまみ１ａの音量が音量範囲の情報に含まれるか否かを判別する（ステップＳ２６）。例えば、音量範囲の情報が音量設定レベル「２」〜「４」であるとし、ボリュームつまみ１ａが初期状態から５度回転されると、音量設定レベルを１つ増加するとした場合、文字表示制御部４は、入力する信号Ｓｎの個数が１００個〜２００個のときに、現在のボリュームつまみ１ａの音量が音量範囲の情報に含まれると判断し、これ以外のときには、現在のボリュームつまみ１ａの音量が音量範囲の情報に含まれないと判断する。
【００７５】
ステップＳ２６の判別の結果、現在のボリュームつまみ１ａの音量が音量範囲の情報に含まれる場合には（ステップＳ２６でＹＥＳ）、文字表示制御部４は、ステップＳ２５で種類が決定されている文字データの大きさを「大」サイズに決定し、当該文字データを表示部５に出力すると共に、同期信号をサウンドコントローラ６に出力する（ステップＳ２７）。尚、図９に文字データの表示と音量範囲との関係を模式的に示す。
【００７６】
サウンドコントローラ６は、順次入力される信号Ｓｎに基づいて音声データ９の音量を増幅し、文字表示制御部４から同期信号を入力して、スピーカ７を介して増幅した音量で音声データ９を出力する（ステップ２９）。この後、ステップＳ２１に戻る。
【００７７】
このように、文字表示制御部４はサウンドコントローラ６に同期信号を出力するので、スピーカ７で出力される音声データ９の音量と表示部５に表示される文字データの種類及び大きさとが互いに対応付けられる。
【００７８】
上記ステップＳ２６の判別の結果、現在のボリュームつまみ１ａの音量が音量範囲の情報に含まれない場合には（ステップＳ２６でＮＯ）、文字表示制御部４は、ステップＳ２５で種類が決定されている文字データの大きさを「小」サイズに決定し、当該文字データを表示部５に出力すると共に、同期信号をサウンドコントローラ６に出力して（ステップＳ２８）、ステップＳ２９に進む。尚、「小」サイズは、通常状態の文字データの大きさである。
【００７９】
以上詳細に説明したように、本実施の形態によれば、表示部５が文字データ（即ち音量設定レベル又は音量情報）を表示し、ボリュームつまみ１ａ、キーＳＷ１ｃ及び文字表示制御手段４で音声データの音量範囲を設定し、文字表示制御手段４がボリュームつまみ１ａが示す音量が設定された音量範囲に含まれるか否かに応じて表示部５に表示される文字データの大きさを制御するので、ボリュームつまみ１ａの操作中の文字データを明確に識別することができる。
【００８０】
また、文字表示制御手段４は、ボリュームつまみ１ａが示す音量が設定された音量範囲に含まれる場合の文字データの大きさが、ボリュームつまみ１ａが示す音量が設定された音量範囲に含まない場合の文字データの大きさよりも大きくなるように、文字データの大きさを制御するので、ボリュームつまみ１ａの操作中の文字データがより明確に識別し易くなり、ボリュームつまみ１ａの操作の補助となる。
【００８１】
特に、ボリュームつまみ１ａが示す音量が、ユーザが予め設定した音量範囲内にあるときに文字データの表示が拡大されるため、必要なときだけ文字表示に注目しやすくなる。また、ボリュームつまみ１ａが示す音量が、ユーザが予め設定した音量範囲外にあるときに文字データの表示が縮小されるため、文字データの表示がその他の表示を阻害するようなことがなくなる。
【００８２】
また、文字表示制御部４は、ボリュームつまみ１ａの操作量に応じて表示部５に表示される文字データの種類を決定するので、ボリュームつまみ１ａの操作中に文字データの種類を決定することができる。なお、文字データの種類とは、具体的には音量設定レベルの数値である。
【００８３】
さらに、サウンドコントローラ６はボリュームつまみ１ａの操作量に応じた音量の音声を再生し、文字表示制御部４は、文字データの大きさの制御及び文字データの種類の決定をしたときに、サウンドコントローラ６に対し同期信号を出力するので、サウンドコントローラ６で再生される音声の音量と表示部５に表示される文字データの種類及び大きさとを対応付けることができる。
【００８４】
上記第２の実施の形態では、音量範囲を１つだけ設定したが、複数の音量範囲を設定してもよい。また、音量範囲毎に表示部５に表示される表示データの大きさを設定してもよい。
【００８５】
尚、表示制御装置１００〜１０２の機能を実現するためのソフトウェアのプログラムが記録されている記録媒体を、表示制御装置１００〜１０２に供給し、表示制御装置１００〜１０２のコンピュータ（即ち、ＣＰＵ）が記憶媒体に格納されたプログラムを読み出し実行することによっても、上記第１及び第２の実施の形態と同様の効果を奏する。プログラムを供給するための記憶媒体としては、例えば、ＣＤ−ＲＯＭ、ＤＶＤ、又はＳＤカードなどがある。
【００８６】
また、表示制御装置１００〜１０２のコンピュータ（即ち、ＣＰＵ）が、表示制御装置１００〜１０２の機能を実現するためのソフトウェアのプログラムを実行することによっても、上記第１及び第２の実施の形態と同様の効果を奏する。
【００８７】
尚、本発明は、上述した実施の形態に限定されるものではなく、その要旨を逸脱しない範囲内で種々変形して実施することが可能である。
【図面の簡単な説明】
【００８８】
【図１】本発明の第１の実施の形態に係る表示制御装置の構成を示すブロック図である。
【図２】表示制御装置に含まれる操作速度検出部のハードウエア構成を示すブロック図である。
【図３】基準クロック生成部で生成されるパルス信号の一例を示す図である。
【図４】表示制御装置で実行される制御処理を示すフローチャートである。
【図５】文字データの表示と操作速度Ｖとの関係を模式的に示す図である。
【図６】図１の表示制御装置の構成の変形例を示すブロック図である。
【図７】第２の実施の形態に係る表示制御装置の構成を示すブロック図である。
【図８】表示制御装置で実行される制御処理を示すフローチャートである。
【図９】文字データの表示と音量範囲との関係を模式的に示す図である。
【符号の説明】
【００８９】
１  操作部
１ａ  ボリュームつまみ
１ｂ  ロータリーエンコーダ
１ｃ  キーＳＷ
１ｄ  スライダ
１ｅ  スライダ信号出力部
２  操作速度検出部
３  基準クロック生成部
４  文字表示制御部
５  表示部
６  サウンドコントローラ
７  スピーカ
１００〜１０２  表示制御装置
【図１】
2008211397.tif 000003
【図２】
2008211397.tif 000004
【図３】
2008211397.tif 000005
【図４】
2008211397.tif 000006
【図５】
2008211397.tif 000007
【図６】
2008211397.tif 000008
【図７】
2008211397.tif 000009
【図８】
2008211397.tif 000010
【図９】
2008211397.tif 000011